(57)【要約】      （修正有）【課題】少なくとも一端にテーパー部を有し、従来のブラシ用毛材よりも毛丈の短いブラシ用毛材の束状集合体が崩れたり、ブラシ用毛材が束状集合体から抜け落ちたりすることなく、安定な状態に保たれたブラシ用毛材束を提供する。【解決手段】少なくとも一端にテーパー部を有する複数本のブラシ用毛材を束ねた束状集合体３の周側面をテープ状の結束部材２で捲着し、前記束状集合体を締め付けて固定していることを特徴とするブラシ用毛材束１。【選択図】図１
2009247760.tif 000002
【特許請求の範囲】
【請求項１】
少なくとも一端にテーパー部を有する複数本のブラシ用毛材を束ねた束状集合体の周側面をテープ状の結束部材で捲着し、前記束状集合体を締め付けて固定していることを特徴とするブラシ用毛材束。
【請求項２】
前記ブラシ用毛材がその一端のみにテーパー部を有し、かつ毛丈が１０〜２５ｍｍの範囲にあることを特徴とする請求項１に記載のブラシ用毛材束。
【請求項３】
前記ブラシ用毛材の束状集合体の直径をＤ、厚さをＬとした時のＬ／Ｄの値が０．２〜０．８の範囲にあることを特徴とする請求項１または２に記載のブラシ用毛材束。
【請求項４】
弾性素材を使用して前記結束部材と共に前記束状集合体を締め付け固定することを特徴とする請求項１〜３のいずれか１項に記載のブラシ用毛材束。
【請求項５】
前記結束部材が可撓性素材からなることを特徴とする請求項１〜４のいずれか１項に記載のブラシ用毛材束。
【請求項６】
前記結束部材が合成樹脂からなることを特徴とする請求項１〜５のいずれか１項に記載のブラシ用毛材束。
【請求項７】
ブラシ用毛材が歯ブラシ用毛材であることを特徴とする請求項１〜６のいずれか１項に記載のブラシ用毛材束。
【発明の詳細な説明】
【技術分野】
【０００１】
本発明は一端にテーパー部を有し、毛丈の短いブラシ用毛材であってもその束状集合体が崩れにくく、安定な状態が保たれるブラシ用毛材束に関するものである。
【背景技術】
【０００２】
毛先にテーパー部を有するブラシ用毛材は、既に多くの文献にも紹介されており（例えば、特許文献１参照）、触感性に優れ、毛先が狭い隙間に入り易いなどの特徴を持つことから、歯ブラシ、ボディーブラシ、化粧ブラシ、筆具など、様々な用途に使用されている。
【０００３】
特に近年、歯ブラシには様々な機能が要求されつつあり、使用するブラシ用毛材は勿論のこと、歯ブラシの植毛形態に特徴を持たせ、新しい機能を発揮させようとする技術が進んでいる。
【０００４】
その技術の中でも、平線を使用しない無平線歯ブラシが特に注目されている。この無平線歯ブラシは、図８に示すようなブラシ用毛材３を二つに折り曲げて、その間に金属製の平線１１を挟み込んで、歯ブラシ本体のヘッド部９に設けられた植毛孔８に植毛する従来の歯ブラシとは異なり、図７に示すように、ブラシ用毛材３の一端をヘッド部９に設けられた植毛孔８に挿通させた後、ヘッド部９の反対側に突出したブラシ用毛材３の一端を熱融着し、ブラシ用毛材３とヘッド部９とを一体成型することを特徴としている。
【０００５】
そのため、円形以外の形状や様々な大きさの植毛孔８をヘッド部９に設けることができること、その各植毛孔８に異なるブラシ用毛材３を植毛することができること、また植毛する場所によって毛丈を自由に変えることができること、ヘッド部９を比較的小設計できることなどバリエーションに富んだ歯ブラシを製造することができ、さらには平線１１を使用しないため、植毛の際のヘッド部９へのダメージが小さいなどの利点がある。
【０００６】
この無平線歯ブラシにテーパー部を有するブラシ用毛材を利用した技術として、ポリエステル系樹脂からなり、テーパー化されていない状態の直径が０．１〜０．２ｍｍ、テーパーの長さが４〜８ｍｍ、テーパーの先端直径が０．０１〜０．０８ｍｍ、全長が１３〜１８ｍｍである一端の毛先のみがテーパー状に先鋭化された毛材を使用し、テーパー化された部分が歯ブラシ本体のヘッド部において外部に向かうように植毛され、毛材のテーパー化されていない部分は熱融着されて歯ブラシヘッド部の内部に固定され、植毛された毛材の毛丈が７〜１３ｍｍの歯ブラシ（例えば、特許文献２参照）が知られている。
【０００７】
この技術は、植毛方法を変えることによって従来のテーパー部を有するブラシ用毛材の特徴を一層引き出す技術ではあるが、その実現には様々な問題を抱えている。
【０００８】
その中で一番の問題は、従来のブラシ用毛材と同じような結束方法では、無平線歯ブラシの製造工程への供給が難しいという点である。
【０００９】
従来の歯ブラシに使用するブラシ用毛材は二つに折り曲げて植毛するために、その長さは通常２５〜３５ｍｍと長い。そのため従来のブラシ用毛材は輪ゴムなどの結束で十分に束を安定に保つことができる。
【００１０】
しかし、無平線歯ブラシ用のブラシ用毛材は二つに折り曲げて植毛しないために、毛丈は短く、従来通りの輪ゴムによる結束ではブラシ用毛材束を安定に保つことができない。そのため、梱包や搬送中に振動や外力を受けてブラシ用毛材束が崩れたり、ブラシ用毛材が束から抜け落ちたりして、無平線歯ブラシの製造工程へ上手く供給できない場合が多い。
【００１１】
このように、テーパー部を有するブラシ用毛材を無平線歯ブラシの製造に無駄なく供給できるか否かによって、無平線歯ブラシのさらなる機能向上が実現できるか否かに関わってくると言っても過言ではなく、テーパー部を有する毛丈の短いブラシ用毛材を如何にして結束し、無平線歯ブラシの製造工程に安定して提供できるかが今後の課題である。
【特許文献１】特許第３１４５２１３号公報
【特許文献２】特開２００７−２８９７２５号公報
【発明の開示】
【発明が解決しようとする課題】
【００１２】
本発明は、上記の従来技術における問題点の解決を課題として検討した結果達成されたものである。すなわち本発明の目的は、少なくとも一端にテーパー部を有し、従来のブラシ用毛材よりも毛丈の短いブラシ用毛材の束状集合体が崩れたり、ブラシ用毛材が束状集合体から抜け落ちたりすることなく、安定な状態に保たれたブラシ用毛材束を提供することにある。
【課題を解決するための手段】
【００１３】
上記目的を達成するために本発明によれば、少なくとも一端にテーパー部を有する複数本のブラシ用毛材を束ねた束状集合体の周側面をテープ状の結束部材で捲着し、前記束状集合体を締め付けて固定していることを特徴とするブラシ用毛材束が提供される。
【００１４】
なお、本発明においては、前記ブラシ用毛材がその一端のみにテーパー部を有し、かつ毛丈が１０〜２５ｍｍの範囲にあること、
前記ブラシ用毛材の束状集合体の直径をＤ、厚さをＬとした時のＬ／Ｄの値が０．２〜０．８の範囲にあること、
弾性素材を使用して前記結束部材と共に前記束状集合体を締め付け固定すること、
前記結束部材が可撓性素材からなること、
前記結束部材が合成樹脂からなること、
前記ブラシ用毛材が歯ブラシ用毛材であることがさらに好ましい条件として挙げられる。
【発明の効果】
【００１５】
本発明のブラシ用毛材束は、一端にテーパー部を有するブラシ用毛材の束状集合体が崩れににくく、安定な状態で保たれているため、従来のブラシ用毛材束と同じ方法で梱包・搬送することができる。
【００１６】
特に無平線歯ブラシに一端にテーパー部を有するブラシ用毛材を使用する場合は、毛丈が短いために、ブラシ用毛材の束状集合体が不安定で崩れ易く、従来のような束を輪ゴムで結束する方法では梱包・搬送中に束状集合体が崩れたり、ブラシ用毛材が束状集合体から抜け落ちたりしてしまい、商品になりにくい。しかし、本発明のブラシ用毛材束は、こうした毛丈が短く、一端にテーパー部を有するブラシ用毛材の場合にその効果を最大限に発揮する。
【発明を実施するための最良の形態】
【００１７】
以下、本発明のブラシ用毛材束について図に従って具体的に説明する。
【００１８】
図１は、本発明のブラシ用毛材束の一例を示した斜視図であり、１はブラシ用毛材束、２は結束部材、３はブラシ用毛材の束状集合体を示している。
【００１９】
また、図２の（ａ）および（ｂ）はそれぞれ一端または両端にテーパー部を有する１本のブラシ用毛材を示した側面図であり、４はブラシ用毛材、５はテーパー部、６はストレート部をそれぞれ示している。
【００２０】
本発明のブラシ用毛材束１は、図１に示すように、少なくとも一端にテーパー部５を有する複数本のブラシ用毛材を束ねた束状集合体３の周側面をテープ状の結束部材２で捲着し、束状集合体３を締め付けて固定していることを特徴とするものである。
【００２１】
ブラシ用毛材４はその一端にテーパー部５を有するため、ブラシ用毛材の束状集合体３の端面（上面）には、ブラシ用毛材４の先端が剣山のように現れる。そして、束状集合体３のテーパー部５側は萎みやすく、図３に示すように、束状集合体３を輪ゴムなどの弾性素材７のみで結束する従来のブラシ用毛材束１は、束状集合体３の形状が崩れやすい。
【００２２】
これは図５で説明することができる。図５は束状集合体３を輪ゴムなどの弾性素材７で結束した場合の束状集合体３の崩れる仕組みを示す図である。
【００２３】
輪ゴムなどの弾性素材７を使用した場合、束状集合体３の上部側面に外力ｆ１が加わると、弾性素材７が束状集合体３の側面を一点Ａで締め付けて固定しているため、Ａを支点として、束状集合体３の下部側面には外側に広がろうとする力ｆ２が働く。すると束状集合体３の中心部のブラシ用毛材４は下側に押し出され、束状集合体３の上面中央部が窪んでいく。
【００２４】
この際、弾性素材７によって束状集合体３を締め付ける力Ｆは、ブラシ用毛材４を束状集合体３の下側に押し出そうとする力Ｆ１と弾性素材７を動かそうとする力Ｆ２に分解される。
【００２５】
そして、この二つの力Ｆ１とＦ２がさらに束状集合体３の形状を不安定な状態にし、梱包・搬送中に振動や外力などの影響が加わると二つの力Ｆ１とＦ２がさらに大きくなって、束状集合体３の形状が崩れたり、ブラシ用毛材４が束から抜け落ちたりするのである。
【００２６】
しかし、本発明のブラシ用毛材束１は、図４に示すように、束状集合体３の周側面をテープ状の結束部材２で均一に締め付けているために、束状集合体３の上部側面に外力ｆ１が加わっても下部側面の外側に広がろうとする力ｆ２は小さい。
【００２７】
そのため束状集合体３の形状が崩れたり、ブラシ用毛材４が束から抜け落ちたりしにくく、束状集合体３の形状が一旦崩れかけたとしても、図５に示すような力Ｆ１やＦ２が生じにくいのである。
【００２８】
特に、本発明のブラシ用毛材束１は、一端のみにテーパー部５を有し、かつ毛丈が１０〜２５ｍｍ、好ましくは１２〜２０ｍｍの無平線歯ブラシ用のブラシ用毛材４の束状集合体３を結束する場合にその効果を発揮する。無平線歯ブラシに使用するブラシ用毛材４は毛丈が短いために、ブラシ用毛材４全体に占めるテーパー部５の割合が大きい。そのため、輪ゴムなどの弾性素材７を使用した従来の結束方法は、束状集合体３の周側面を一点で締め付けているために形状が極めて不安定であり、結束することは難しい。
【００２９】
しかし、形状安定性に優れた本発明のブラシ用毛材束１であっても、束状集合体３の直径が大きすぎるとその形状は崩れやすい傾向にあり、逆に束状集合体３の直径が小さすぎると束１つあたりの数量が小さくなるため、結束工程での処理個数が増え、作業性が悪くなったり製造コストが高くなったりする傾向にある。
【００３０】
そのため、束状集合体３の形状安定性、作業性および製造コストなどを考慮して、束状集合体３の形状は、その直径をＤ、束の厚さ（ブラシ用毛材３の毛丈）をＬとした時のＬ／Ｄの値が０．２〜０．８の範囲、特に０．２５〜０．５の範囲にある場合、その効果を遺憾なく発揮する。
【００３１】
ここで、本発明のブラシ用毛材束１に使用するテープ状の結束部材２について、その素材は特に限定はされず、例えば紙類、合成樹脂、金属など素材を使用してもよい。また結束部材２はその内表面に粘着性を有するテープなどを使用してもよい。
【００３２】
また、結束部材２は束状集合体３を均一に締め付けて固定する役割を果たすものであることから、束状集合体３に密着するようなものが好ましく、特に合成樹脂などの可撓性素材が好ましい。
【００３３】
なお、本発明において結束部材２に使用できる合成樹脂としては、例えば、ナイロン６、ナイロン６６、ナイロン６１０、ナイロン６１２、ナイロン４６、ナイロンＭＤＸ６、ナイロン１１、ナイロン１２またはこれら２種類以上の共重合体からなるポリアミド系樹脂、ポリエチレンテレフタレート、ポリブチレンテレフタレート、ポリエチレンナフタレート、ポリプロピレンテレフタレート、ポリメチレンナフタレート、ポリブチレンナフタレート、ポリプロピレンナフタレートまたはこれら２種類以上の共重合体からなるポリエステル系樹脂、ポリフェニレンサルファイド、ポリフッ化ビニリデン、エチレン・テトラフルオロエチレン共重合体、ポリテトラフルオロエチレン、テトラフルオロエチレン・ヘキサフルオロプロピレン共重合体、ポリテトラフルオロエチレン・パーフルオロアルキルビニルエーテル共重合体、テトラフルオロエチレン・フッ化ビニリデン共重合体、テトラフルオロエチレン・ヘキサフルオロプロピレン・フッ化ビニリデン共重合体、ポリクロロトリフルオロエチレン、エチレンクロライド・テトラフルオロエチレン共重合体、フルオロビニルエーテルなどのフッ素系樹脂、その他にポリエチレン、ポリプロピレン、ポリスチレン、ポリ塩化ビニルなどの合成樹脂が挙げられ、さらにこれら合成樹脂を２種類以上ブレンドしたものも使用できる。
【００３４】
さらに、結束部材２は束状集合体３の周側面に捲着されるものであることから、結束部材２の形状はテープ状であることが重要であるが、結束部材２の長さは特に限定はされず、束状集合体３の直径に応じて適宜選ぶことができる。
【００３５】
また、結束部材２の幅についても、束状集合体３、つまりブラシ用毛材４の毛丈に応じて適宜選ぶことができ、特に限定はされないが、束状集合体３が安定しやすいとの理由から、束状集合体３、つまりブラシ用毛材４の毛丈に対して±２０％の範囲にあることがより好ましい。
【００３６】
特に結束部材２は、その素材によっても異なるが、厚さによって可撓性が異なり、薄すぎると可撓性が大きいが柔らかすぎるために束状集合体３の形状が崩れやすく、逆に厚すぎると可撓性に欠けるために束状集合体３の周側面に密着しにくく、束状集合体３を均一に締め付けにくくなり、ブラシ用毛材４が束状集合体３から抜け落ちやすくなる。
【００３７】
そのため、結束部材２の厚さは０．０５〜２．０ｍｍが好ましく、さらには０．１〜０．７ｍｍ、より好ましくは０．２〜０．５ｍｍの範囲が好ましい。
【００３８】
なお、結束部材２の留め方は特に限定はされず、例えば面ファスナー、粘着テープ、接着剤などで端部を接着して締め付け力を保持することができ、接着剤を使用する場合には、エマルジョン系、水溶液系、ホットメルト系、溶剤溶液系、モノマーセメント系、アクリル系、ポリアロマチック系、ラテックス系、ゴム系などの接着剤を使用することができる。
【００３９】
ここで、テープ状とは細長い形状のものを言い、長方形やその角をカットしたり丸めたりした八角形や概ねトラック状のもの、その他一部が凹凸状のものであっても良い。
【００４０】
また、本発明においては、図６の（ａ）に示すように、さらに弾性素材７を使用して結束部材２と共に束状集合体３を締め付けて固定すると、より一層束状集合体３の形状が安定して崩れにくくなり、かつブラシ用毛材４が束状集合体３から抜け落ちにくくなる。
【００４１】
なお、弾性素材７については特に限定はされないが、簡単に使用でき、かつ安価であることから市販のゴムひもや輪ゴムが好ましく使用できる。
【００４２】
また、弾性素材７に輪ゴムを使用した場合、輪ゴムの大きさ（直径）と太さは、束状集合体３の大きさ、結束部材２の素材や厚さに応じて適宜選ぶことができるが、結束部材２を介して束状集合体３をより一層締め付けて固定する点において、その大きさは直径３〜５ｃｍの範囲が好ましく、太さは１〜５ｍｍの範囲にあることが好ましい。
【００４３】
さらに、弾性素材７に輪ゴムを使用した場合、輪ゴムは結束部材２の外周を１重または何重に掛けてもよく、または輪ゴムを複数本掛けてもよい。
【００４４】
さらにまた、図６の（ｂ）のように、結束部材２に掛止部８を作り、この掛止部８に弾性素材７を引っ掛けて結束部材２と共に束状集合体３を締め付け固定する方法も可能である。
【００４５】
ここで、ブラシ用毛材４は、上記で説明したとおり、その少なくとも一端にテーパー部５とストレート部６を有する毛材であるが、本発明においては、テーパー部５の長さが４〜１２ｍｍ、ストレート部６の直径が０．１０〜０．２５ｍｍのブラシ用毛材４が適している。
【００４６】
また、１本のブラシ用毛材４のストレート部６の断面形状についても特に限定はされないが、例えば、円形、中空、扁平、正方形、半月状、三角形、５角以上の多角形、多葉状、ドックボーン状、および繭型などを挙げることができ、円形以外の異形断面を採用した場合は、優れたブラシ清掃性を得ることができる。
【００４７】
さらに、ブラシ用毛材４の素材は特に限定はされないが、結束部材２と同じように、ナイロン６、ナイロン６６、ナイロン６１０、ナイロン６１２、ナイロン４６、ナイロンＭＤＸ６、ナイロン１１、ナイロン１２またはこれら２種類以上の共重合体からなるポリアミド系樹脂、ポリエチレンテレフタレート、ポリブチレンテレフタレート、ポリエチレンナフタレート、ポリプロピレンテレフタレート、ポリメチレンナフタレート、ポリブチレンナフタレート、ポリプロピレンナフタレートまたはこれら２種類以上の共重合体からなるポリエステル系樹脂、ポリフェニレンサルファイド、ポリフッ化ビニリデン、エチレン・テトラフルオロエチレン共重合体、ポリテトラフルオロエチレン、テトラフルオロエチレン・ヘキサフルオロプロピレン共重合体、ポリテトラフルオロエチレン・パーフルオロアルキルビニルエーテル共重合体、テトラフルオロエチレン・フッ化ビニリデン共重合体、テトラフルオロエチレン・ヘキサフルオロプロピレン・フッ化ビニリデン共重合体、ポリクロロトリフルオロエチレン、エチレンクロライド・テトラフルオロエチレン共重合体、フルオロビニルエーテルなどのフッ素系樹脂、その他にポリエチレン、ポリプロピレン、ポリスチレンなどの合成樹脂を使用することができ、さらにこれら合成樹脂を２種類以上ブレンドしたものも使用することができる。
【００４８】
中でもナイロン６１０やポリブチレンテレフタレートはブラシ用毛材４の素材として、物理的特性に優れていることから好ましく使用することができ、さらにポリブチレンテレフタレートはアルカリ溶液に浸漬して容易にテーパー部を形成することができることからより好ましく使用することができる。
【００４９】
また、上記の合成樹脂には、本発明の効果を阻害しない範囲であれば、その目的に応じて、各種無機粒子、各種金属粒子および架橋高分子粒子などの粒子類のほか、公知の抗酸化剤、耐光剤、耐侯剤、イオン交換剤、着色防止剤、耐電防止剤、各種着色剤、ワックス類、シリコーンオイル、各種界面活性剤および各種強化繊維類などを適宜任意に添加させることも可能であり、ブラシ用毛材３の表面および／または内部に、銀イオンを担持させたリン酸塩系、ゼオライト系、ヒドロキシアパタイト系抗菌剤のほか、酸化亜鉛、硫酸亜鉛、塩化亜鉛、リン酸亜鉛、硝酸亜鉛、炭酸亜鉛、酢酸亜鉛、シュウ酸亜鉛、クエン酸亜鉛、フマル産亜鉛、ギ酸亜鉛などの亜鉛化合物、ベンゼトニウム、ベンザルコニウム、セチルピリジウム、クロルヘキシジンなどのカチオン系抗菌剤、エピガロカテキン、エピガロカテキンガレート、エピカテキン、エピカテキンガレートなどの茶カテキン、アナターゼ型またはルチル型二酸化チタンなどの光触媒を付着および／または含有させて抗菌効果を付与することも可能である。
【実施例】
【００５０】
以下、本発明のブラシ用毛材束について、実施例を挙げて詳細に説明するが、本発明はその要旨を超えない限り以下の実施例に何ら限定されるものではない。
【００５１】
なお、実施例および比較例におけるブラシ用毛材束の安定性評価および毛抜け調査については以下の方法で行った。
【００５２】
〔安定性評価〕
６００ｍｍ×６００ｍｍのステンレス板の上に１００束のブラシ用毛材束を縦横１０束ずつ、互いに１０ｍｍの間隔を空けて並べ、さらにこれらブラシ用毛材束の上に６００ｍｍ×６００ｍｍのステンレス板と錘を乗せ、合計１ｋｇの荷重を加える。
【００５３】
その後、ブラシ用毛材束の下のステンレス板を、振幅３０ｍｍ、振動数１００回／分で５分間振動させ、形状が崩れたブラシ用毛材束の個数を数えた。この個数が少ないほどブラシ用毛材束が安定した形状を保っていることを示す。
【００５４】
〔毛抜け評価〕
安定性評価を行った後、崩れていないブラシ用毛材束を任意に１０束選び出し、一つずつブラシ用毛材束を持ち上げ、毛が抜け落ちた数量（ｇ）を測定した。この数量が少ないほどブラシ用毛材が抜けにくく、しっかり保持されていることを示す。
【００５５】
〔実施例１〕
エクストルーダー型溶融紡糸機にポリブチレンテレフタレート樹脂を供給し、溶融紡糸機内で合成樹脂を溶融・混練させながら溶融パックへ押出し、溶融パックに取り付けられた口金の孔から溶けた合成樹脂を紡出した。
【００５６】
次に、紡出された合成樹脂を冷却浴内で冷却固化し、引き続き高温媒体中で延伸および熱セットして直径０．１９ｍｍの合成樹脂モノフィラメントを巻き取った。
【００５７】
そして、巻き取った合成樹脂モノフィラメントをカットしてカットブリッスルを作製し、このカットブリッスルをアルカリ溶液に浸漬して、毛丈が１７ｍｍで一端にテーパー部を有するブラシ用毛材を作製した。
【００５８】
次に得られたブラシ用毛材を束ねて直径５０ｍｍの束状集合体を作製し、この束状集合体の周側面に１８ｍｍ×２００ｍｍ、かつ厚さ０．３ｍｍのポリスチレン製の結束部材を巻き、束状集合体を締め付けて固定した上でアクリル系接着剤を使用して結束部材を留めた。
【００５９】
〔実施例２〜３〕
束状集合体の直径を変更したこと以外は、実施例１と同じ方法で束状集合体を結束した。
【００６０】
〔実施例４〜７〕
結束部材の素材をナイロン６、ポリエチレンテレフタレート、ポリエチレン、ポリ塩化ビニルに変更したこと以外は、実施例１と同じ方法で束状集合体を結束した。
【００６１】
〔実施例８〜９〕
結束部材の厚さを変更したこと以外は、実施例１と同じ方法で束状集合体を結束した。
【００６２】
〔実施例１０〕
接着剤を使用せずに直径３０ｍｍ、太さ３ｍｍの輪ゴムを使用して結束部材と束状集合体とを締め付けて固定したこと以外は、実施例１と同じ方法で束状集合体を結束した。
【００６３】
〔実施例１１〜１４〕
輪ゴムの種類とその掛け方を変更した以外は、実施例１０と同じ方法で束状集合体を結束した。
【００６４】
〔実施例１５〕
図６の（ｂ）に示すように、結束部材に掛止部を作り、直径１８ｍｍ、太さ１ｍｍの輪ゴムを使用して結束部材と束状集合体とを締め付けて固定したこと以外は、実施例１０と同じ方法で束状集合体を結束した。
【００６５】
〔比較例１〕
ブラシ用毛材を束ねて直径５０ｍｍの束状集合体を作成し、これに直径３０ｍｍ、太さ３ｍｍの輪ゴムを掛けて束状集合体を結束した。
【００６６】
〔比較例２〜５〕
輪ゴムの種類とその掛け方を変更した以外は、実施例１０と同じ方法で束状集合体を結束した。
【００６７】
【表１】
2009247760.tif 000003
【００６８】
【表２】
2009247760.tif 000004
【００６９】
表１および表２から明らかなように、本発明のブラシ用毛材束（実施例１〜１５）は、輪ゴムのみを使用した従来の結束方法（比較例１〜５）に比べて、安定性に優れ、形状が崩れにくいものであることが分かる。
【産業上の利用可能性】
【００７０】
本発明のブラシ用毛材束によれば、一端にテーパー部を有するブラシ用毛材の束状集合体が崩れににくく、安定な状態で保たれているため、従来のブラシ用毛材束と同じ方法で梱包・搬送することができる。
【００７１】
特に無平線歯ブラシに一端にテーパー部を有するブラシ用毛材を使用する場合は、毛丈が短いために、ブラシ用毛材の束状集合体が不安定で崩れ易く、従来のような束を輪ゴムで結束する方法では梱包・搬送中に束状集合体が崩れたり、ブラシ用毛材が束状集合体から抜け落ちたりしてしまい、商品になりにくい。しかし、本発明のブラシ用毛材束は、こうした毛丈が短く、一端にテーパー部を有するブラシ用毛材の場合にその効果を最大限に発揮する。
【図面の簡単な説明】
【００７２】
【図１】本発明のブラシ用毛材束（第１実施例）を示した斜視図である。
【図２】テーパー部を有するブラシ用毛材の側面図である。
【図３】従来のブラシ用毛材束を示した斜視図である。
【図４】本発明のブラシ用毛材束が安定している仕組みを示した図である。
【図５】従来のブラシ用毛材束が崩れる仕組みを示した図である。
【図６】（ａ）および（ｂ）は、それぞれ本発明のブラシ用毛材束（第２実施例、第３実施例）を示した斜視図である。
【図７】平線を使用しない無平線歯ブラシの植毛方法を示した図である。
【図８】平線を使用した従来の歯ブラシの植毛方法を示した図である。
【符号の説明】
【００７３】
１    ブラシ用毛材束
２    結束部材
３    束状集合体
４    ブラシ用毛材
５    テーパー部
６    ストレート部
７    弾性素材
８    掛止部
９    植毛孔
１０  ヘッド部
１１  融着部
１２  平線
Ａ    接触点
ｆ１  ブラシ用毛材に加わる外力
ｆ２  ブラシ用毛材を広げようとする力
Ｆ    ブラシ用毛材を締め付ける力
Ｆ１  ブラシ用毛材を押し出そうとする力
Ｆ２  弾性素材を動かそうとする力
【図１】
2009247760.tif 000005
【図２】
2009247760.tif 000006
【図３】
2009247760.tif 000007
【図４】
2009247760.tif 000008
【図５】
2009247760.tif 000009
【図６】
2009247760.tif 000010
【図７】
2009247760.tif 000011
【図８】
2009247760.tif 000012